(57)【特許請求の範囲】
【請求項１】
低反発弾性材料からなる複数の突起毛を表裏両面、多面または全周面に有してなる液状歯磨き剤を塗布するブラシ部を備えた液状歯磨き剤塗布ブラシであって、
複数の前記突起毛先端部の仮想接触面が少なくとも１つの凹状曲面部分を有し、
前記突起毛の硬さが１５Ｎ／ｃｍ２以下であり、
前記低反発弾性材料がシリコーンゴムもしくは熱可塑性エラストマーからなる液状歯磨き剤塗布ブラシにおいて、
後端部周方向凸部と中間部周方向凸部とを有する棒状握り部と、前記握り部の中間部周方向凸部から前記ブラシ部へ子供の歯の側面湾曲に合わせた曲率を以て延びる首部とを備えたことを特徴とする液状歯磨き剤塗布ブラシ。
【発明の詳細な説明】
【技術分野】
【０００１】
本発明は、液状歯磨き剤を歯茎・歯牙へ塗布するために使用される液状歯磨き剤塗布ブラシに関する。
【背景技術】
【０００２】
一般的に歯磨きの形態としては、歯磨き剤と歯ブラシを使用するものであって、練り歯磨き剤や液体歯磨き剤が使用されている。
いずれにおいても、歯垢分解剤、フッ素、研磨剤などを含有する歯磨き剤を歯ブラシに付け、歯牙表面や歯茎を歯ブラシの刷毛先端で擦り、刷毛の先鋭な先端で歯牙表面や歯間にある食べ物屑を除去している。
【０００３】
【特許文献１】特開２００２−３４５５６０号公報
【特許文献２】特開平１１−２０９２５６号公報
【発明の開示】
【発明が解決しようとする課題】
【０００４】
しかしながら、例えば、特許文献１に開示されている歯ブラシ等では、細いブリッスルを束ねたブリッスル束を複数本植設している構成では、刷毛の先鋭な先端で、歯茎を傷つけやすく、更には子供、特に幼児に対して、親がブラッシングする場合が多いが、このブラッシングを子供は嫌がる傾向があり、結果的に磨き残しが発生する可能性が増大する。しかも、刷毛先端の弾性により、ブラッシングしている時に、飛沫が発生し、衣服を汚すなどの問題もある。
このような問題は特許文献２のような液状歯磨き剤において発生しやすい。
【０００５】
本発明は、前述した事情に鑑みてなされたもので、この目的としては、液状歯磨き剤の飛沫の発生を抑えつつ、歯茎・歯牙を傷つけることなく全体に塗布し易く、歯茎・歯牙へ薬効成分を効果的に適用することができ、特に、親が子供に対して塗布するのに好適である液状歯磨き剤塗布ブラシ及びこの塗布ブラシに用いるための液状歯磨き剤を提供することにある。
【課題を解決するための手段】
【０００６】
本発明に係る上記課題は、下記構成（１）〜（５）を組み合わせた液状歯磨き剤塗布ブラシにより達成される。
（１）低反発弾性材料からなる複数突起毛を表裏両面、多面または全周面に有して液状歯磨き剤を塗布するブラシ部を備えたこと。
【０００７】
このように構成された液状歯磨き剤塗布ブラシ（以下、「本発明の塗布ブラシ」とも言う）によれば、低反発弾性材料からなる突起毛を複数配置する構成により液状歯磨き剤の飛沫の発生を抑え、突起毛を表裏両面、多面または全周面に配置しているので、素早く、正確に塗布でき、更に、上下の歯牙に同時に均一に効率良く塗布でき、歯茎・歯牙全体へ薬効成分を満遍なく効果的に適用することができる。
【０００８】
（２）複数の前記突起毛先端部の仮想接触面（歯茎・歯牙と接触する面）が少なくとも１つの凹状曲面部分を有すること。
表裏両面、多面または全周面に配置された突起毛の先端部の仮想接触面が少なくとも１つの凹状曲面部分を有する構成により、この凹面が液状歯磨き剤を十分に保持でき、しかも歯茎・歯牙への当たりがより効果的となる。
【０００９】
（３）前記突起毛の硬さが１５Ｎ／ｃｍ２以下であること。
【００１０】
（４）前記低反発弾性材料がシリコーンゴムもしくは熱可塑性エラストマーからなること。
このように構成された液状歯磨き剤塗布ブラシによれば、所定の低反発弾性状態を有することで、塗布中の液状歯磨き剤の飛沫の発生をより確実に抑制することができる。また、歯茎・歯牙を傷つけることもなく、子供が嫌がることもない。
【００１１】
（５）後端部周方向凸部と中間部周方向凸部とを有する棒状握り部と、前記握り部の中間部周方向凸部から前記ブラシ部へ子供の歯の側面湾曲に合わせた曲率を以て延びる首部とを備えたこと。
【００１２】
このように構成された液状歯磨き剤塗布ブラシによれば、自身の歯に塗布する場合にも、他者が塗布する場合（特に親が子供へ塗布する場合）でも、握り部分の後端部周方向凸部では主に小指が掛かり、握り部の中間部周方向凸部では主に親指または人差し指が掛かるようになるので、パームグリップやぺングリップにおいても、確実且つ柔らかく握り部分を保持することができ、突起毛を優しく歯茎・歯牙へ当てることができる。更に、握り部の中間部周方向凸部から前記ブラシ部へ子供の歯の側面湾曲に合わせた曲率を以て延びる首部により、歯の湾曲に合わせて動かすことが容易となる。そして、子供がより嫌がらず、親が子供に対してブラッシングするのに好都合となる。
【００１５】
本発明のブラシ部を構成する低反発弾性材料としてはエラストマーがあり、具体的には、シリコーンゴム又は熱可塑性エラストマーなどが適用可能である。このような構成により、液状歯磨き剤の飛沫の発生を抑え、突起毛を表裏両面、多面または全周面に配置しているので、素早く、正確に塗布でき、歯茎・歯牙全体へ薬効成分を満遍なく効果的に適用することができる。
【００１６】
ここで、シリコーンゴムとしては、天然ゴムや合成ゴムと同様にロール作業で可塑化させて形成されるミラブル型、例えば、メチルビニルシリコーンゴム、フェニルメチルシリコーンゴム、フルオロシリコーンゴム等が挙げられる。この他にも、低粘度の液状で、室温又は加熱により硬化してゴム形状となる液状シリコーン、例えば、縮合型シリコーン、付加型シリコーン等が挙げられる。また、熱可塑性エラストマーとしては、例えば、スチレン系、塩ビ系、オレフィン系、ウレタン系、ポリエステル系、ニトリル系、ポリアミド系、フッ素系、塩素化ポリエチレン系、塩素化エチレンコポリマー架橋体アロイ系、エステルハロゲン系ポリマー系などから挙げられる。これらの中でも、メチルビニルシリコーンゴム、スチレン系エラストマーが柔軟性が付与でき、薬剤や劣化に耐性があることから好ましい。また、柔軟性などを向上させるため可塑剤を添加しても良い。
更には、低反発弾性材料からなる突起毛の硬さとして、１５Ｎ／ｃｍ２以下とするのが、液状歯磨き剤の飛沫が飛び散ることをより抑制できるので好ましい。ここで、毛の硬さとは、後述のとおり日本工業規格の「歯ブラシ」にある圧縮試験機を用いる方法（ＪＩＳ  Ｓ３０１６）に準じて測定されるものである。
【００１７】
本発明の塗布ブラシの首部は、子供の歯の側面湾曲に沿うような曲率を以て伸びており、首部の長さが３０〜７０ｍｍ、曲率半径Ｒは１０〜５００ｍｍが好ましい。
また、本発明の塗布ブラシのブラシ部は、塗布しやすいように一般の歯磨きブラシと比べて長さに比して太く構成されている。ブラシ部の具体例としては以下のものが例示される。
ブラシ部の幅：７〜１５ｍｍ、ブラシ部の長さ：１０〜２５ｍｍ、突起毛の配置面積：１．０〜２．５ｃｍ２、突起毛数：２０〜１５０本、突起毛直径：０．５〜２．０ｍｍ、突起毛長さ：２〜１２ｍｍ、突起毛先端形状：円弧状、平面状、円錐状、角錐状、波形状
なお、突起毛の配置状態としては、前記のような表裏面のほかに、多面形態や、首部長手方向に対して全周面に設置することが可能である。
【００１８】
本発明のブラシの使用形態としては、前述のようにパームグリップやぺングリップのいずれかで使用するのであるが、一般のブラシと比較すると本発明のブラシの突起毛は非常に柔らかいので、歯茎・歯牙に対してブラッシングといって擦り当てるという動作よりも、あくまでも液状歯磨き剤の塗布であり、歯牙表面に液状歯磨き剤を付着させるような使用形態となり、その過程で、歯垢や食べかすなどを取り除くこととなる。このように、子供への使用がより好適となっている。
【００１９】
本発明の塗布ブラシは、ブラシ部と棒状握り部とを別々に成形して組み付ける、取り外し可能なタイプとすることができる。具体的には、シリコーンゴム等でブラシ部を成形し、棒状握り部をポリプロピレン等の樹脂で成形した後、前記握り部に前記ブラシ部をはめ込むことで製造できる。
この他に、ブラシ部と棒状握り部とが一体に成形された、取り外しできないタイプとしても良い。具体的には、一次型を用いてポリプロピレンの握り部を成形した後、前記握り部を二次型にセットしてエラストマー樹脂を周囲に流し込んで成形することで製造できる。
【００２０】
ここで、本発明の塗布ブラシに用いるのに好適な液状歯磨き剤について詳述する。
本発明の液状歯磨き剤は、以下の各種成分から成り、２０℃条件下で２０〜４０００ｍＰａ、好ましくは５０〜１０００ｍＰａの粘性を有するように調製されている。
ここでの粘性は、液温２０℃条件下での測定値であり、例えば、ＲＢ８０Ｈ型粘度計（東機産業社製）で測定することができる。
【００２１】
用いられる各種成分としては、例えば、フッ化ナトリウム、モノフルオロリン酸、塩化セチルピリジニウム、塩化ベンザルコニウム、塩化デカリニウム、塩化ベンゼトニウム、イソプロピルメチルフェノール、塩化リゾチーム、デキストラナーゼ、ムタステイン、グリチルリチン酸ジカリウム、アラントイン、アラントインクロルヒドロキシアルミニウム、ヒノキチオール、酢酸トコフェノール、ポリリン酸塩、ピロリン酸塩などの有効成分、精製水、エタノール、グリセリン、プロピレングリコール、ブチレングリコール等の溶剤、ヒドロキシエチルセルロース、ポリビニルピロリドン、ポリエチレングリコール、キサンタンガム、ヒアルロン酸ナトリウム、寒天、カラギーナン、アルギン酸ナトリウム等の増粘剤、ＰＯＥアルキルエーテル、ＰＯＥ硬化ヒマシ油、ＰＯＥ・ＰＯＰ共重合体、ラウリル硫酸ナトリウム等の界面活性剤、サッカリンナトリウム、キリシトール、エリスリトール、マルチトース、メントール、ミントなどの香味剤、安息香酸ナトリウム、パラベン等の防腐剤、クエン酸、リン酸ナトリウム等のＰＨ調整剤、各種法定色素、香料等が挙げられる。
以下の表１に、本発明の液状歯磨き剤の処方例１〜４を示す。（質量％にて表示）
【００２２】
【表１】
0005228219.tif 000002
【発明の効果】
【００２３】
本発明の液状歯磨き剤塗布ブラシによれば、特に液状歯磨き剤の飛沫の発生を抑えつつ、歯茎・歯牙を傷つけることなく、全体に素早く、正確に塗布し、歯茎・歯牙へ薬効成分を効果的に満遍なく適用することができる。特に、突起毛が柔らかいことにより、親が子供に対して塗布するのに好適である。
【発明を実施するための最良の形態】
【００２４】
以下、本発明に係る液状歯磨き剤塗布ブラシの実施の形態について図面を参照して詳細に説明する。
図１〜図３は本発明に係る液状歯磨き剤塗布ブラシの実施形態を示しており、図１は本発明の第１実施形態に係る液状歯磨き剤塗布ブラシの斜視図、図２は図１の液状歯磨き剤塗布ブラシの側面図、図３は図１のブラシ部分の部分拡大斜視図である。
【００２５】
図１に示すように、液状歯磨き剤塗布ブラシ１０は、低反発弾性材料からなる複数突起毛１３ａ，１３ｂを表裏両面に備えるブラシ部１２と、ブラシ部１２に接続して歯の湾曲に合わせた曲率（図２の一点鎖線１４ａ）を以て延びる首部１４と、首部１４から延びる棒状握り部１６が備えられ、首部１４との接続位置には中間部周方向凸部１７が配置され、棒状握り部１６の後端は後端部周方向凸部１８が配置される。棒状握り部１６の中間部周方向凸部１７近くには滑り止めとしてのゴム部材部分１９が部分縞状に埋め込まれている。
【００２６】
ブラシ部１２の表側突起毛１３ａの複数先端全体（仮想接触面）として成すのが凹形状曲面となっており、裏側の突起毛１３ｂでは平面形状を成している。歯茎・歯牙と接触する面であるこれらにより、液状歯磨き剤の塗布中に、歯の形状に対応してより塗布しやすい面を選択できることとなる。
また、ブラシ部１２の複数突起毛１３ａ，１３ｂの成形は、プレス成形や射出成形によるもので、各先端は球状などの丸みを帯びた形状のほか、平面形状としてもよい。
【００２７】
棒状握り部１６に備えられている中間部周方向凸部１７および後端部周方向凸部１８は棒状握り部１６の全周に渡って突出しているが、一部突出する配置とすることもできる。また、ゴム部材部分１９は全周に渡って施す事もできる。
後端部周方向凸部１８では主に小指を掛ける握りが安定し、中間部周方向凸部１７では主に親指または人差し指を掛ける握りが安定するので、パームグリップやぺングリップにおいても、確実且つ柔らかく握り部分を保持することができ、自身の歯に塗布する場合にも、他者が塗布する場合（親が子供へ塗布）でも、突起毛を優しく歯茎・歯牙へ当てることができる。更に、首部１４には図２の一点鎖線１４ａで示したように子供の歯側面の湾曲に合うような曲率を備えるので、子供の歯の湾曲に合わせて塗布ブラシ１０を動かすことがより容易となる。
【００２８】
次に、図４、図５により、本発明の塗布ブラシのブラシ部分を取り外し可能とした実施形態を説明する。
図４は、本発明の第２実施形態に係る液状歯磨き剤塗布ブラシのブラシ部分を取り外した状態の斜視図、図５（ａ），（ｂ）は図４のブラシ部分の部分拡大側面図である。
【００２９】
図４に示すように、液状歯磨き剤塗布ブラシ２０は、低反発弾性材料からなる複数突起毛２３ａ，２３ｂを表裏両面に備えるブラシ部２２と、図１に示したブラシ部１２、首部１４、棒状握り部１６、中間部周方向凸部１７、後端部周方向凸部１８に対応して同様の構成となるブラシ部２２、首部２４、棒状握り部２６、中間部周方向凸部２７、後端部周方向凸部２８が配置される。首部２４の先端ではブラシ部２２が着脱自在に備えられるブラシ固定部２５が備えられる。また、棒状握り部１６の中間部周方向凸部１７近くには滑り止めとしてのゴムリング２９が配設されている。これは中間部周方向凸部１７を中心にした部分拡大断面図として図４内に構成を示している。棒状握り部１６には中間部周方向凸部１７近くに全周を切り欠け形状とした狭細部２６ａが配置され、ゴムリング２９がこの狭細部２６ａに埋め込まれて、配置される。これにより、どの様な持ち方でも滑り止めとして有効に作用することとなる。
【００３０】
図５（ａ），（ｂ）に示すように、ブラシ部２２の内にはブラシ固定部２５が押し込まれる固定部受容空隙２２ａが配置され、ブラシ固定部２５には肩部２５ａが備えられ、ブラシ部２２の固定は固定部受容空隙２２ａにブラシ固定部２５が肩部２５ａまで押し込まれ、ブラシ部２２自身の弾性力によりブラシ固定部２５を締め付ける状態で固定維持される。
塗布ブラシ２０のその他機能は図１に示した塗布ブラシ１０と同等である。
【００３１】
図６（ａ），（ｂ）はブラシ部の他の実施形態を示す部分拡大図である。
ブラシ部３２は、図２に示すブラシ部１２、または図５に示すブラシ部２２と同等の機能を有しているが、形状の違いとして、ブラシ部３２の表側突起毛３３ａの複数先端全体として成すのが凹形状曲面を２つ連ねた形状となっている点である。裏側の突起毛１３ｂでは平面形状を成している。これにより、ブラシ部１２、またはブラシ部２２と同じく、液状歯磨き剤の塗布中により塗布しやすい面を選択できることとなる。
【００３２】
図７（ａ），（ｂ），（ｃ）は、本発明の第２実施形態の変形例を示す斜視図である。
首部２４の先端ではブラシ部２２が着脱自在に備えられるブラシ固定部２５１が備えられる。図７（ｂ）は図７（ａ）のＭ−Ｍ断面図であり、この図から分かるように、ブラシ固定部２５１には矢じり形状の肩部２５１ａが長手方向に連なって複数備えられる。図７（ｃ）はブラシ部と首部との装着状態を示す透視図であり、この図から分かるように、ブラシ部２２内部にブラシ固定部２５１の肩部２５１ａ全てが押し込まれ、ブラシ部２２内部に形成された肩部２５１ａの形状とブラシ部２２自身の弾性力とにより、ブラシ固定部２５１を締め付け且つ引っかかる状態となり、ブラシ部２２内部にブラシ固定部２５１をより強固に固定維持することができる。
【００３３】
［実施例］
〈突起毛の硬さ試験（ＪＩＳ  Ｓ３０１６に準じる）〉
ＪＩＳ  Ｓ３０１６では、毛の長さを７.００±０.１５ｍｍに切りそろえたもので測定するが、実施例１，２のシリコーンの突起毛の長さは３.０ｍｍとして測定した。また、比較例１，２はサンプルを加工せず、記載した毛の長さで測定した。
プッシュプルゲージにて突起毛試料を固定し、１０ｍｍ／ｍｉｎの速度で荷重を加え、荷重の最大値を求め、次式によって毛の硬さを算出した。
Ｈ＝Ｐ／Ｂ
ここで、Ｈ：（Ｎ／ｃｍ２）、Ｐ：荷重の最大値（Ｎ）、Ｂ：植毛面積（ｃｍ２）
１Ｋｇｆ＝９．８０６６５Ｎの換算とする。
【００３４】
（試料）
実施例１．硬度４０°のシリコーンからなるブラシ部を有した図１記載の本発明の塗布ブラシ
実施例２．硬度５５°のシリコーンからなるブラシ部を有した図１記載の本発明の塗布ブラシ
比較例１．市販のナイロン歯ブラシ（ＧＵＭデンタルブラシ♯７６（商品名）［サンスター（株）製］、毛の長さ：６．０ｍｍ、）
（結果及び考察）
測定結果を表２に示す。
本発明の塗布ブラシは市販の柔らかめの歯ブラシと比べても約７〜１３倍の柔らかさを有していた。
【００３５】
【表２】
0005228219.tif 000003
【００３６】
（飛散試験）
図８は液剤飛散試験の概要を示す概念図である。この図８に示すように、ブラシに液剤を３００μＬをつけて、白色バット上に設置した義歯（下顎）を被験者に３０秒間自由にブラッシングしてもらった。ブラッシング後、図８中の範囲Ｘ，Ｙ，Ｚで示した５ｃｍ四方の領域内に飛んだ飛沫（肉眼で観測できる大きさ）の数を計測した。
・使用した液剤：赤色１０２号を０．１％添加した処方例１
・実施例３：本発明の塗布ブラシ（実施例２）（表３−２）
・比較例２：市販のナイロン歯ブラシ［ｃｈｅｃｋ超コンパクト（商品名）（花王（株）製、毛の長さ：９．０ｍｍ、最大荷重：３６．３Ｎ、植毛面積：１．４ｃｍ２、毛の硬さ：２５．９Ｎ／ｃｍ２）］（結果は表３−１）
【００３７】
（結果及び考察）
５名の被験者により試験を行った。市販の歯ブラシによる比較例２を表３−１に、本発明の塗布ブラシによる実施例３を表３−２に示す。
比較例２で使用した歯ブラシは毛の長さが９．０ｍｍと長く、毛の硬さが低くなっているが、それでも、全体としては比較例２の歯ブラシよりも本発明の塗布ブラシの方が飛散しにくい傾向が明らかに見られた。本発明の塗布ブラシは、比較例２の結果から飛沫数からブラッシング圧の強いと推察される被験者Ａ，Ｃにおいてもほとんど飛散は見られなかった。
【００３８】
【表３】
0005228219.tif 000004
【００３９】
【表４】
0005228219.tif 000005
【００４０】
なお、本発明に係る液状歯磨き剤塗布ブラシは、前述した各実施形態に限定されるものではなく、適宜、変形や改良等が可能である。
【図面の簡単な説明】
【００４１】
【図１】本発明の第１実施形態に係る液状歯磨き剤塗布ブラシの斜視図である。
【図２】図１の液状歯磨き剤塗布ブラシの側面図である。
【図３】図１のブラシ部分の部分拡大斜視図である。
【図４】本発明の第２実施形態に係る液状歯磨き剤塗布ブラシのブラシ部分を取り外した状態の斜視図である。
【図５】（ａ），（ｂ）はそれぞれ図４のブラシ部分の部分拡大側面図である。
【図６】（ａ）はブラシ部の他の実施形態を示す部分拡大斜視図，（ｂ）は（ａ）のブラシ部の部分拡大側面図である。
【図７】本発明の第２実施形態の変形例を示す斜視図である。
【図８】飛散試験の概要を示す概念図である。
【符号の説明】
【００４２】
１０，２０，３０    液状歯磨き剤塗布ブラシ
１２    塗布ブラシ部
１３ａ，１３ｂ    突起毛
１４    首部
１６    握り部
１７    中間部周方向凸部
１８    後端部周方向凸部
２５    ブラシ固定部
【図１】
0005228219.tif 000006
【図２】
0005228219.tif 000007
【図３】
0005228219.tif 000008
【図４】
0005228219.tif 000009
【図５】
0005228219.tif 000010
【図６】
0005228219.tif 000011
【図７】
0005228219.tif 000012
【図８】
0005228219.tif 000013